(57)【要約】【解決手段】水圧を受ける可動抵抗体１５，１９をルアー本体２に設けるとともに、ロッド２７の基端部側に遠隔操作部３０を設け、ロッド２７に連結した遠隔操作用のライン２５及び保持用のライン２６を可動抵抗体１５と遠隔操作部３０とに連結して、遠隔操作部３０の可動部３２により遠隔操作用のライン２５を介して可動抵抗体１５，１９を変動可能にした。【効果】ルアー１の使用中に遠隔操作により、可動びれなどに該当する可動抵抗体１５，１９の取付角度などを変動させて水中におけるルアー１の姿勢に変化を与えることができる。【選択図】図１
2011217653.tif 000002
【特許請求の範囲】
【請求項１】
水圧を受ける可動抵抗体をルアー本体に設けるとともに、ロッドの基端部側に遠隔操作部を設け、ロッドに連結した遠隔操作用のラインをこの可動抵抗体と遠隔操作部とに連結して、遠隔操作部により遠隔操作用のラインを介して可動抵抗体を変動可能にしたことを特徴とする釣り用ルアー遠隔操作装置。
【請求項２】
前記可動抵抗体は、ルアー本体に対し回動可能に支持されてルアー本体の外側に設けられた受圧部と、遠隔操作部による遠隔操作用のラインの動きを受圧部の回動として伝達する伝動部とを備えていることを特徴とする請求項１に記載の釣り用ルアー遠隔操作装置。
【請求項３】
前記受圧部は複数設けられ、前記伝動部は、各受圧部を互いに連動させる連動部を有し、遠隔操作部による遠隔操作用のラインの動きを各受圧部のうち特定の受圧部の回動として伝達するとともに、特定の受圧部の回動を連動部によりその特定の受圧部以外の受圧部の回動として伝達することを特徴とする請求項２に記載の釣り用ルアー遠隔操作装置。
【請求項４】
前記伝動部は遠隔操作用のラインの動きにより複数の回動位置を取り得るレバーを有し、このレバーの回動位置ごとに前記受圧部の回動位置も変動することを特徴とする請求項２または請求項３に記載の釣り用ルアー遠隔操作装置。
【請求項５】
前記遠隔操作部は、前記レバーに連結された遠隔操作用のラインの基端部の位置を変更し得る可動部を有し、その可動部により遠隔操作用のラインの基端部の位置を変更してレバーを回動させることを特徴とする請求項４に記載の釣り用ルアー遠隔操作装置。
【請求項６】
前記遠隔操作部は、前記レバーに連結された遠隔操作用のラインと保持用のラインとのうち、遠隔操作用のラインの基端部の位置を変更し得る可動部を有し、その可動部により遠隔操作用のラインの基端部の位置を変更してレバーを回動させ、保持用のラインの基端部を位置固定する取付部を有していることを特徴とする請求項４に記載の釣り用ルアー遠隔操作装置。
【発明の詳細な説明】
【技術分野】
【０００１】
本発明は、例えば鮎の友釣りなどに使用する釣り用ルアーを遠隔操作することができる釣り用ルアー遠隔操作装置に関するものである。
【背景技術】
【０００２】
従来、下記特許文献１では、鮎の形態をなすルアー本体に胸びれや腹びれなどの可動びれが取付角度調節可能に支持されている。
【先行技術文献】
【特許文献】
【０００３】
【特許文献１】特開２００２−２８１８６７号公報
【発明の概要】
【発明が解決しようとする課題】
【０００４】
上記特許文献１では、ルアーの使用前に可動びれの取付角度を予め調節する必要があるため、ルアーの使用中に可動びれの取付角度を再度調節する際にはルアーの使用を取り止めねばならず、可動びれの取付角度の調節が大変面倒であった。
【０００５】
この発明は、ルアーの使用中に遠隔操作により、可動びれなどに該当する可動抵抗体の取付角度などを変動させて水中におけるルアーの姿勢に変化を与えることができる釣り用ルアー遠隔操作装置を提供することを目的としている。
【課題を解決するための手段】
【０００６】
後記実施形態の図面（図１〜４に示す第１実施形態、図５に示す第２実施形態、図６に示す第３実施形態）の符号を援用して本発明を説明する。
請求項１の発明（第１〜３実施形態に対応）にかかる釣り用ルアー遠隔操作装置においては、水圧を受ける可動抵抗体１３，１７をルアー本体２に設けるとともに、ロッド２７の基端部側に遠隔操作部３０を設け、ロッド２７に連結した遠隔操作用のライン２５をこの可動抵抗体１３と遠隔操作部３０とに連結して、遠隔操作部３０により遠隔操作用のライン２５を介して可動抵抗体１３，１７を変動可能にした。例えば、ルアー本体２は鮎などの魚の形態をなす。請求項１の発明では、ルアー１の可動抵抗体１３，１７を遠隔操作により変動することができる。従って、ルアー１を水中に投下した使用中でも、可動抵抗体１３，１７を変動させて水中におけるルアー１の姿勢に変化を与えることができる。また、ロッド２７にルアー１を吊下するライン２５，２６を遠隔操作の介在物として兼用した簡単な構造にすることができる。
【０００７】
請求項１の発明を前提とする請求項２の発明（第１〜３実施形態に対応）において、前記可動抵抗体１３，１７は、ルアー本体２に対し回動可能に支持されてルアー本体２の外側に設けられた受圧部１５，１９と、遠隔操作部３０による遠隔操作用のライン２５の動きを受圧部１５，１９の回動として伝達する伝動部２４とを備えている。例えば、ルアー本体２が魚の形態である場合、受圧部１５，１９は胸びれや腹びれなどの可動びれである。請求項２の発明では、可動抵抗体１３，１７において、受圧部１５，１９がルアー本体２の外側にあっても、遠隔操作部３０による遠隔操作用のライン２５の動きを伝動部２４により受圧部１５，１９の回動として伝達することができるので、ルアー本体２に対する受圧部１５，１９の取付角度を容易に変更することができる。従って、受圧部１５，１９の取付角度に応じて水中におけるルアー１の姿勢に変化を与えることができる。
【０００８】
請求項２の発明を前提とする請求項３の発明（第１〜２実施形態に対応）において、前記受圧部１５，１９は複数設けられ、前記伝動部２４は、各受圧部１５，１９を互いに連動させる連動部２３を有し、遠隔操作部３０による遠隔操作用のライン２５の動きを各受圧部１５，１９のうち特定の受圧部１５の回動として伝達するとともに、特定の受圧部１５の回動を連動部２３によりその特定の受圧部１５以外の受圧部１９の回動として伝達する。請求項３の発明では、可動抵抗体１３，１７において、受圧部１５，１９が複数ある場合、ルアー本体２に対する各受圧部１５，１９の取付角度をそれぞれ容易に変更することができる。また、取付角度の異なる各受圧部１５，１９の組み合わせにより、水中におけるルアー１を各種の姿勢に変化させることができる。
【０００９】
請求項２または請求項３の発明を前提とする請求項４の発明（第１〜３実施形態に対応）において、前記伝動部２４は遠隔操作用のライン２５の動きにより複数の回動位置を取り得るレバー１６，２０を有し、このレバー１６，２０の回動位置ごとに前記受圧部１５，１９の回動位置も変動する。請求項４の発明では、レバー１６，２０を利用した簡単な構成の伝動部２４にすることができる。
【００１０】
請求項４の発明を前提とする請求項５の発明（第１〜３実施形態に対応）において、前記遠隔操作部３０は、前記レバー１６に連結された遠隔操作用のライン２５の基端部の位置を変更し得る可動部３２を有し、その可動部３２により遠隔操作用のライン２５の基端部の位置を変更してレバー１６を回動させる。請求項５の発明では、可動部３２により遠隔操作用のライン２５の基端部の位置を変更するだけの簡単な構成により、レバー１６を回動させることができる。
【００１１】
請求項４の発明を前提とする請求項６の発明（第１〜３実施形態に対応）において、前記遠隔操作部３０は、前記レバー１６に連結された遠隔操作用のライン２５と保持用のライン２６とのうち、遠隔操作用のライン２５の基端部の位置を変更し得る可動部３２を有し、その可動部３２により遠隔操作用のライン２５の基端部の位置を変更してレバー１６を回動させ、保持用のライン２６の基端部を位置固定する取付部４４を有している。請求項６の発明では、可動部３２により遠隔操作用のライン２５の基端部の位置を変更するだけの簡単な構成により、レバー１６を回動させることができる。また、保持用のライン２６はレバー１６と取付部４４との間で長さの変化がないので、可動抵抗体１３，１７の受圧部１５，１９が水圧を受けても、遠隔操作用のライン２５により設定されたレバー１６の回動位置を保持することができる。
【００１２】
次に、請求項以外の技術的思想について実施形態の図面の符号を援用して説明する。
請求項５または請求項６の発明を前提とする第７の発明（第１〜３実施形態に対応）において、前記レバー１６に連結されたライン２５，２６の基端部側が例えばラインロール４３ａに巻かれて収容されるライン収容部４３を前記遠隔操作部３０に隣接して設けている。第７の発明では、ライン２５，２６の基端部側をライン収容部４３に収容すると、ロッド２７とルアー１との間でライン２５，２６の長さを短くすることができる。従って、ロッド２７及びルアー１をコンパクトに保管することができる。
【００１３】
請求項４〜６のうちいずれか一つの請求項の発明、または第７の発明を前提とする第８の発明（第１〜３実施形態に対応）において、前記可動抵抗体１３，１７の受圧部１５，１９は、ルアー本体２の両側面２ｃの外側にそれぞれ設けられている。請求項４〜６のうちいずれか一つの請求項の発明、または第７の発明を前提とする第９の発明（第３実施形態に対応）において、前記可動抵抗体１３，１７の受圧部１５，１９は、ルアー本体２の前側（魚の場合には頭側）で、ルアー本体２の両側面２ｃの外側にそれぞれ設けられている。請求項４〜６のうちいずれか一つの請求項の発明、または第７の発明を前提とする第１０の発明（第１〜２実施形態に対応）において、前記可動抵抗体１３，１７の受圧部１５，１９は、ルアー本体２の前側（魚の場合には頭側）と後側（魚の場合には尾側）とでそれぞれ、ルアー本体２の両側面２ｃの外側にそれぞれ設けられている。第８〜１０の発明では、ルアー本体２の両側面２ｃの外側に受圧部１５，１９をそれぞれ設けて水中におけるルアー１の姿勢を安定させることができる。
【００１４】
請求項４〜６のうちいずれか一つの請求項の発明、または第７〜１０の発明のうちいずれか一つの発明を前提とする第１１の発明（第１〜３実施形態に対応）において、前記可動抵抗体１３，１７の受圧部１５，１９は、ルアー本体２の両側面２ｃ間を結ぶ左右方向Ｙに沿う回動中心線１４ａ，１８ａを中心に回動可能に支持され、上側（魚の場合には背側）の受圧面１５ａ，１９ａと下側（魚の場合には腹側）の受圧面１５ｂ，１９ｂとを有し、この上下両側の受圧面１５ａ，１９ａ，１５ｂ，１９ｂは前側から後側へ向かうに従い上下方向Ｚへ互いに広がるように傾斜している。第１１の発明では、受圧部１５，１９の受圧面１５ａ，１９ａ，１５ｂ，１９ｂが水圧を受け易くなって水中におけるルアー１の姿勢に変化を与え易くなる。
【００１５】
請求項４〜６のうちいずれか一つの請求項の発明、または第７〜１１の発明のうちいずれか一つの発明を前提とする第１２の発明（第１〜３実施形態に対応）において、レバー１６，２０は、受圧部１５，１９の回動中心線１４ａ，１８ａを中心に回動可能に支持され、その回動中心線１４ａ，１８ａから上方へ延びる上側の腕部１６ａ，２０ａと下方へ延びる下側の腕部１６ｂ，２０ｂとを有し、遠隔操作用のライン２５と保持用のライン２６とのうち、遠隔操作用のライン２５を一方の腕部１６ｂに連結するとともに、保持用のライン２６を他方の腕部１６ａに連結した。第１２の発明では、遠隔操作用のライン２５により設定されたレバー１６の回動位置を保持用のライン２６により保持することができる。ちなみに、第１〜２実施形態に対応する請求項３の発明における連動部２３は、前側の受圧部１５（特定の受圧部１５）の回動中心線１４ａを中心に回動可能に支持された前側のレバー１６と、後側の受圧部１９（特定の受圧部１５以外の受圧部１９）の回動中心線１８ａを中心に回動可能に支持された後側のレバー２０との間に設けられている。その場合、連動部２３としては、前側のレバー１６の上側の腕部１６ａと後側のレバー２０の下側の腕部２０ｂとをリンク２１により連結するとともに、前側のレバー１６の下側の腕部１６ｂと後側のレバー２０の上側の腕部２０ａとをリンク２２により連結するか、または、前側のレバー１６の上側の腕部１６ａと後側のレバー２０の上側の腕部２０ａとをリンク２１により連結するとともに、前側のレバー１６の下側の腕部１６ｂと後側のレバー２０の下側の腕部２０ｂとをリンク２２により連結する。
【００１６】
請求項４〜６のうちいずれか一つの請求項の発明、または第７〜１２の発明のうちいずれか一つの発明を前提とする第１３の発明（第１〜３実施形態に対応）において、ライン２５，２６はロッド２７の先端部から基端部側にわたりロッド２７の内側に挿通されている。第１３の発明では、ロッド２７にライン２５，２６が沿うので、ライン２５，２６の弛みを防止してルアー１を円滑に遠隔操作することができる。
【発明の効果】
【００１７】
本発明は、ルアー１の使用中に遠隔操作により、可動びれなどに該当する可動抵抗体１５，１９の取付角度などを変動させて水中におけるルアー１の姿勢に変化を与える釣り用ルアー遠隔操作装置を提供することができる。
【図面の簡単な説明】
【００１８】
【図１】（ａ）は第１実施形態において可動抵抗体が下降変動状態にあるルアーを有する釣り用ルアー遠隔操作装置の全体を示す一部切欠き正面図であり、（ｂ）はこのルアーの一部切欠き平面図であり、（ｃ）はこのルアーの側面図である。
【図２】第１実施形態において可動抵抗体が上昇変動状態にあるルアーを有する釣り用ルアー遠隔操作装置の全体を示す一部切欠き正面図である。
【図３】第１実施形態において可動抵抗体が水平変動状態にあるルアーを有する釣り用ルアー遠隔操作装置の全体を示す一部切欠き正面図である。
【図４】（ａ）は図１（ａ）に示すルアーの部分断面図であり、（ｂ）は図２に示すルアーの部分断面図であり、（ｃ）は図３に示すルアーの部分断面図である。
【図５】（ａ）は第２実施形態にかかる釣り用ルアー遠隔操作装置において可動抵抗体が下降変動状態にあるルアーの部分断面図であり、（ｂ）は同じく可動抵抗体が上昇変動状態にあるルアーの部分断面図であり、（ｃ）は同じく可動抵抗体が水平変動状態にあるルアーの部分断面図である。
【図６】（ａ）は第３実施形態にかかる釣り用ルアー遠隔操作装置において可動抵抗体が下降変動状態にあるルアーの部分断面図であり、（ｂ）は同じく可動抵抗体が上昇変動状態にあるルアーの部分断面図であり、（ｃ）は同じく可動抵抗体が水平変動状態にあるルアーの部分断面図である。
【発明を実施するための形態】
【００１９】
まず、本発明の第１実施形態にかかる釣り用ルアー遠隔操作装置について図１〜４を参照して説明する。
ルアー１の本体２は、鮎に似せた形態をなし、上側の背部材３と下側の腹部材４とに二分割されている。その背部材３と腹部材４とは、硬質発泡スチロールにより成形され、上下方向Ｚで互いに重合されて前側の頭部２ａと後側の尾部２ｂとで螺着されている。ルアー本体２の前後方向Ｘの中間部には背部材３と腹部材４との間で空洞部５が形成されている。この空洞部５で上側には、背部材３及び腹部材４と同様な材質の発泡スチロール以外に、目的に応じて各種材質により成形された埋込み部材６が取着されている。ルアー本体２の前側には空洞部５の前側に隣接して前支持室７が背部材３と腹部材４とにわたり貫設されて上下両長孔７ａで開放されている。ルアー本体２の後側には空洞部５の後側に隣接して後支持室８が背部材３と腹部材４とにわたり形成されている。ルアー本体２の尾部２ｂには連結孔９と切込み１０とが形成され、釣針１１が連結された環１２がこの連結孔９に対し切込み１０を通して着脱可能に引っ掛けられている。
【００２０】
前記ルアー本体２に取り付けられた前可動抵抗体１３は、ルアー本体２の前支持室７を左右方向Ｙへ貫通してルアー本体２の左右両側面２ｃの外側に突出する前支軸１４と、その左右両側面２ｃの外側で前支軸１４の両端部に対し一体回動可能に取着された前受圧部１５(胸びれ)と、この前支持室７内で前支軸１４に対し一体回動可能に取着された前レバー１６とを備えている。前記ルアー本体２に取り付けられた後可動抵抗体１７は、ルアー本体２の後支持室８を左右方向Ｙへ貫通してルアー本体２の左右両側面２ｃの外側に突出する後支軸１８と、その左右両側面２ｃの外側で後支軸１８の両端部に対し一体回動可能に取着された後受圧部１９(腹びれ)と、この後支持室８内で後支軸１８に対し一体回動可能に取着された後レバー２０とを備えている。
【００２１】
前記前レバー１６は、前支軸１４の回動中心線１４ａを中心に回動可能に支持され、その前支軸１４から上方へ延びて背部材３の上方外側へ突出し得る上腕部１６ａと、その前支軸１４から下方へ延びて腹部材４の下方外側へ突出し得る下腕部１６ｂとを有している。前記後レバー２０は、後支軸１８の回動中心線１８ａを中心に回動可能に支持され、その後支軸１８から上方へ延びる上腕部２０ａと、その後支軸１８から下方へ延びる下腕部２０ｂとを有している。前記ルアー本体２の空洞部５を通るリンク２１により前レバー１６の上腕部１６ａと後レバー２０の下腕部２０ｂとが互いに連結されているとともに、この空洞部５を通るリンク２２により前レバー１６の下腕部１６ｂと後レバー２０の上腕部２０ａとが互いに連結され、これらのリンク２１，２２が連動部２３して空洞部５で互いに交差している。この前レバー１６及び前支軸１４と、この後レバー２０及び後支軸１８と、この連動部２３とにより、伝動部２４が構成されている。
【００２２】
前記前受圧部１５(胸びれ)と伝動部２４の前レバー１６とはルアー本体２に対し前支軸１４とともに回動し得る。この前受圧部１５(胸びれ)は、前支軸１４の回動中心線１４ａを中心に回動可能に支持され、この前支軸１４から後方へ延びる上受圧面１５ａと、この前支軸１４から後方へ延びる下受圧面１５ｂとを有し、この上下両受圧面１５ａ，１５ｂは前側から後側へ向かうに従い上下方向Ｚへ互いに広がるように傾斜している。前記後受圧部１９(腹びれ)と伝動部２４の後レバー２０とはルアー本体２に対し後支軸１８とともに回動し得る。この後受圧部１９(腹びれ)は、後支軸１８の回動中心線１８ａを中心に回動可能に支持され、この後支軸１８から後方へ延びる上受圧面１９ａと、この後支軸１８から後方へ延びる下受圧面１９ｂとを有し、この上下両受圧面１９ａ，１９ｂは前側から後側へ向かうに従い上下方向Ｚへ互いに広がるように傾斜している。前記上下両受圧面１５ａ，１５ｂの面積はこの上下両受圧面１９ａ，１９ｂの面積よりも広くなっている。前レバー１６の下腕部１６ｂには支持室７の下側の長孔７ａで遠隔操作用のライン２５が連結されている。前レバー１６の上腕部１６ａには支持室７の上側の長孔７ａで保持用のライン２６が連結されている。これらのライン２５，２６は、ロッド２７の先端部に取着された穂先金具２７ａからロッド２７の基端部側にわたりロッド２７の内側に挿通されている。なお、前記前受圧部１５(胸びれ)及び後受圧部１９（腹びれ）以外に、ルアー本体２の後側で固定受圧部２８（背びれ）と固定受圧部２９（尾びれ）とが取着されている。
【００２３】
ロッド２７の基端部側に取り付けられた遠隔操作部３０は、ロッド２７の基端部に連結された頭部３１ａを有する把持部３１と、その把持部３１に組み込まれた可動部３２とを備えている。この頭部３１ａでは、ロッド２７の基端部に螺着されたロッド受金具３３の内側にゴム製の口部３４が嵌着されているとともに、ロッド受金具３３の外側に筒部３５が嵌着されている。この口部３４にはロッド２７の延設方向に沿って延びる案内孔３４ａが形成されている。この把持部３１にはその頭部３１ａに対する反対側の尻部３１ｂでねじりコイルばね３６により付勢された挟持腕３７が回動可能に支持されている。この挟持腕３７の先端部には可動挟持面３７ａが形成され、把持部３１に形成された固定挟持面３７ｂに対しねじりコイルばね３６の付勢力により圧接されている。この把持部３１内には頭部３１ａと挟持腕３７との間にスライド室３８が形成されている。前記可動部３２は、このスライド室３８で口部３４の案内孔３４ａが延びる方向に沿って往復移動可能に支持されたスライダ３９と、このスライダ３９に対し把持部３１の外側から往復移動操作可能に突出する指掛部４０とを有し、圧縮コイルばね４１により頭部３１ａ側へ付勢されて口部３４に当接されている。このスライダ３９には、口部３４の案内孔３４ａに連通する案内孔３９ａが形成され、この案内孔３９ａの内端部で案内ローラ４２が支持されている。この把持部３１上にはライン収容部４３が前記遠隔操作部３０に隣接して取り付けられ、このライン収容部４３にはラインロール４３ａが支持されている。
【００２４】
前記遠隔操作用のライン２５と保持用のライン２６とはロッド２７の内側を通ってこれらの案内孔３４ａ，３９ａに挿通されている。遠隔操作用のライン２５は案内ローラ４２に巻き掛けられるとともに挟持腕３７の可動挟持面３７ａ（固定部）と把持部３１の固定挟持面３７ｂ（固定部）との間を通ってライン収容部４３のラインロール４３ａに巻かれて固定されている。スライド室３８には挟持腕３７に隣接して取付部４４が取着されている。保持用のライン２６はこの取付部４４に対し着脱可能に連結されている。保持用のライン２６をこの取付部４４から離脱させれば、遠隔操作用のライン２５と同様に、可動挟持面３７ａと固定挟持面３７ｂとの間を通してライン収容部４３のラインロール４３ａに巻くことができる。
【００２５】
図１及び図４（ａ）に示す状態では、遠隔操作部３０において可動部３２が圧縮コイルばね４１により押されてスライダ３９が口部３４に当接する前進位置Ａにある。その状態では、可動挟持面３７ａが圧接された固定挟持面３７ｂと前レバー１６の下腕部１６ｂとの間にある遠隔操作用のライン２５において、案内ローラ４２と下腕部１６ｂとの間の長さが案内ローラ４２の位置に応じて制限されるとともに、前レバー１６の上腕部１６ａと取付部４４との間で保持用のライン２６の長さが制限される。そのため、水圧を受けた前受圧部１５(胸びれ)が上向きに傾斜するまで前レバー１６が傾斜し得る。また、後レバー２０の位置が各リンク２１，２２（連動部２３）を介して前レバー１６の位置に応じて制限されるため、水圧を受けた後受圧部１９（腹びれ）が下向きに傾斜するまで後レバー２０が傾斜し得る。従って、ルアー１は頭部２ａを下に向けるとともに尾部２ｂを上に向けて下降し得る。
【００２６】
図２及び図４（ｂ）に示す状態では、遠隔操作部３０において可動部３２が圧縮コイルばね４１の弾性力に抗して引かれてスライダ３９が口部３４から離間する後退位置Ｂにある。その状態では、前レバー１６の下腕部１６ｂが前側へ引かれるとともに、前レバー１６の上腕部１６ａが後側へ傾斜するため、水圧を受けた前受圧部１５(胸びれ)が下向きに傾斜するまで前レバー１６が傾斜し得る。また、後レバー２０の位置が各リンク２１，２２（連動部２３）を介して前レバー１６の位置に応じて制限されるため、水圧を受けた後受圧部１９（腹びれ）が上向きに傾斜するまで後レバー２０が傾斜し得る。従って、ルアー１は頭部２ａを上に向けるとともに尾部２ｂを下に向けて上昇し得る。
【００２７】
図３及び図４（ｃ）に示す状態では、遠隔操作部３０において可動部３２が圧縮コイルばね４１の弾性力に抗して引かれて前進位置Ａと後退位置Ｂとの間の中間位置Ｃにある。その状態では、前述した後退位置Ｂと同様にして前レバー１６及び後レバー２０の位置が設定され、前受圧部１５(胸びれ)及び後受圧部１９（腹びれ）がそれぞれほぼ水平になり、ルアー１が水圧を受けてもほぼ水平に維持される。
【００２８】
次に、本発明の第２実施形態にかかる釣り用ルアー遠隔操作装置について第１実施形態との相違点を中心に図５を参照して説明する。
図５（ａ）（ｂ）（ｃ）はそれぞれ第１実施形態の図４（ａ）（ｂ）（ｃ）に該当する。第２実施形態では、第１実施形態の連動部２３としての各リンク２１，２２を変更している。ルアー本体２の空洞部５を通るリンク２１により前レバー１６の上腕部１６ａと後レバー２０の上腕部２０ａとが互いに連結されているとともに、ルアー本体２の空洞部５を通るリンク２２により前レバー１６の下腕部１６ｂと後レバー２０の下腕部１６ｂとが互いに連結され、この前レバー１６と後レバー２０と両リンク２１，２２とで平行クランク機構が構成されている。
【００２９】
前述したように遠隔操作部３０の可動部３２が前進位置Ａにある状態では、図５（ａ）に示すように、ルアー１の前可動抵抗体１３において、水圧を受けた前受圧部１５(胸びれ)が上向きに傾斜し得る。また、ルアー１の後可動抵抗体１７において、水圧を受けた後受圧部１９（腹びれ）が上向きに傾斜し得る。従って、ルアー１はほぼ水平な状態で下降し得る。
【００３０】
前述したように遠隔操作部３０の可動部３２が後退位置Ｂにある状態では、図５（ｂ）に示すように、ルアー１の前可動抵抗体１３において、水圧を受けた前受圧部１５(胸びれ)が下向きに傾斜し得る。また、ルアー１の後可動抵抗体１７において、水圧を受けた後受圧部１９（腹びれ）が下向きに傾斜し得る。従って、ルアー１はほぼ水平な状態で上昇し得る。
【００３１】
前述したように遠隔操作部３０の可動部３２が中間位置Ｃにある状態では、図５（ｃ）に示すように、前受圧部１５(胸びれ)及び後受圧部１９（腹びれ）がそれぞれほぼ水平になり、ルアー１が水圧を受けてもほぼ水平に維持される。
【００３２】
次に、本発明の第３実施形態にかかる釣り用ルアー遠隔操作装置について第１実施形態との相違点を中心に図６を参照して説明する。
図６（ａ）（ｂ）（ｃ）はそれぞれ第１実施形態の図４（ａ）（ｂ）（ｃ）に該当する。第３実施形態では、第１実施形態の後可動抵抗体１７を変更し、各リンク２１，２２（連動部２３）や後レバー２０などを省略した。ルアー本体２の両側面２ｃの外側で取付軸４５の両端部に支持された固定受圧部４６（腹びれ）は、この取付軸４５から後方へ延びる上受圧面４６ａと、この取付軸４５から後方へ延びる下受圧面４６ｂとを有し、この上下両受圧面４６ａ，４６ｂは前側から後側へ向かうに従い上下方向Ｚへ互いに広がるように傾斜している。この取付軸４５を回動調節して、ルアー本体２に対する固定受圧部４６（腹びれ）の取付角度を変更することができる。例えば、通常は固定受圧部４６（腹びれ）を水平状態にし、必要に応じて下向きまたは上向きの状態にする。
【００３３】
本実施形態は下記の効果を有する。
（１）  ロッド２７の基端部側にある遠隔操作部３０で、ルアー１の前可動抵抗体１３及び後可動抵抗体１７を遠隔操作して変動することができる。従って、ルアー１を水中に投下した使用中でも、前可動抵抗体１３及び後可動抵抗体１７を変動させて水中におけるルアー１の姿勢に変化を与えることができる。
【００３４】
（２）  ロッド２７にルアー１を吊下する遠隔操作用のライン２５及び保持用のライン２６を遠隔操作の介在物として兼用した簡単な構造にすることができる。
（３）  前受圧部１５及び後受圧部１９がルアー本体２の外側にあっても、遠隔操作部３０による遠隔操作用のライン２５の動きを伝動部２４により前受圧部１５及び後受圧部１９の回動として伝達することができ、ルアー本体２に対する前受圧部１５及び後受圧部１９の取付角度を容易に変更することができる。従って、前受圧部１５及び後受圧部１９の取付角度に応じて水中におけるルアー１の姿勢に変化を与えることができる。
【００３５】
（４）  遠隔操作部３０による遠隔操作用のライン２５の動きを前受圧部１５の回動として伝達するとともに、前受圧部１５の回動を連動部２３により前受圧部１５以外の後受圧部１９の回動として伝達するので、ルアー本体２に対する前受圧部１５及び後受圧部１９の取付角度をそれぞれ容易に変更することができる。また、取付角度の異なる前受圧部１５と後受圧部１９との組み合わせにより、水中におけるルアー１を各種の姿勢に変化させることができる。
【００３６】
（５）  前レバー１６及び後レバー２０の回動位置ごとに前受圧部１５及び後受圧部１９の回動位置も変動するので、前レバー１６及び後レバー２０を利用した簡単な構成の伝動部２４にすることができる。
【００３７】
（６）  遠隔操作部３０において可動部３２により遠隔操作用のライン２５の基端部の位置を変更するだけの簡単な構成により、前レバー１６を回動させることができる。
（７）  前レバー１６と取付部４４との間で保持用のライン２６の長さを一定にして、前受圧部１５及び後受圧部１９が水圧を受けても、遠隔操作用のライン２５により設定された前レバー１６の回動位置を保持することができる。
【００３８】
（８）  遠隔操作用のライン２５及び保持用のライン２６の基端部側をラインロール４３ａに巻いて収容することができるので、ロッド２７とルアー１との間で各ライン２５，２６の長さを短くして、ロッド２７及びルアー１をコンパクトに保管することができる。
【００３９】
前記実施形態以外にも例えば下記のように構成してもよい。
・  遠隔操作用のライン２５を連結したレバーに対し、保持用のライン２６に代えて、このライン２６と同様な機能を有する保持ばねを連結してもよい。
【００４０】
・  遠隔操作用のライン２５及び保持用のライン２６をロッド２７の先端部から基端部側にわたりロッド２７の外側に沿わせてもよい。
・  前記前受圧部１５(胸びれ)及び後受圧部１９（腹びれ）以外に、受圧部（背びれ）や受圧部（尾びれ）なども遠隔操作により変動させるようにしてもよい。
【００４１】
・  前記ライン収容部４３や固定部（可動挟持面３７ａ及び固定挟持面３７ｂ）を省略してもよく、その場合には遠隔操作用のライン２５の基端部を把持部３１の取付部に連結したり、可動部３２のスライダ３９において案内ローラ４２も省略して遠隔操作用のライン２５の基端部をスライダ３９の取付部に連結したりしてもよい。
【００４２】
・  前レバー１６及び後レバー２０の形態を棒状以外の各種形態に変更してもよい。
・  前記上下両受圧面１５ａ，１５ｂの面積を前記上下両受圧面１９ａ，１９ｂの面積よりも広くしたが、逆に狭くしてもよいし、それらを互いに同じにしてもよい。
【符号の説明】
【００４３】
１…ルアー、２…ルアー本体、１３…前可動抵抗体、１５…前受圧部、１６…前レバー、１７…後可動抵抗体、１９…後受圧部、２０…後レバー、２３…連動部、２４…伝動部、２５…遠隔操作用のライン、２６…保持用のライン、２７…ロッド、３０…遠隔操作部、３２…可動部、４４…取付部、４３…ライン収容部。
【図１】
2011217653.tif 000003
【図２】
2011217653.tif 000004
【図３】
2011217653.tif 000005
【図４】
2011217653.tif 000006
【図５】
2011217653.tif 000007
【図６】
2011217653.tif 000008